(57)【要約】【課題】  本発明によれば、決済用のユーザ端末を奪われた場合、紛失した場合、盗難に遭った場合、あるいは深刻な不法行為に使用された場合に、これによって生じる損失が避けられ、決済システムに対する高い柔軟性が提供される。【解決手段】  本発明はスマートカードの遠隔制御を行う方法及びシステムを開示する。当該方法は、スマートカードの管理プラットフォームがユーザからのスマートカードに対するロック要求又はロック要求を受信するステップと、スマートカードの管理プラットフォームが当該要求に応じてモバイルネットワークプラットフォームを介して端末側とインタラクションを行い、端末側にスマートカードに対してロック動作又はロック解除動作を行うようにさせるステップとを含む。【選択図】図４
2013503507.tif 000002
【特許請求の範囲】
【請求項１】
スマートカードの遠隔制御を行う方法であって、
スマートカードの管理プラットフォームが、ユーザからのスマートカードに対するロック要求又はロック解除要求を受信した後、モバイルネットワークプラットフォームを介して端末側とインタラクションを行い、スマートカードに対してロック又はロック解除を行うように前記端末側を制御する
ことを特徴とするスマートカード遠隔制御方法。
【請求項２】
前記端末側は、
移動局及びスマートカードを含む
ことを特徴とする請求項１に記載の方法。
【請求項３】
前記スマートカードに対してロック又はロック解除を行うように前記端末側を制御するステップは、
前記移動局が、通常の使用状態において、前記モバイルネットワークプラットフォームによって送信されたロック命令又はロック解除命令を受信することと、
前記移動局が、前記ロック命令又はロック解除命令を実行して、前記スマートカードをロック又はロック解除することとを含む
ことを特徴とする請求項２に記載の方法。
【請求項４】
前記方法は、
前記移動局が前記スマートカードに対してロック又はロック解除を行った後において、前記スマートカードがロック状態又はロック解除状態にあることを更に含む
ことを特徴とする請求項３に記載の方法。
【請求項５】
前記方法は、
前記移動局が、前記スマートカードに対してロック又はロック解除を行った後、前記モバイルネットワークプラットフォームに実行の成功を示すメッセージを返信することを更に含む
ことを特徴とする請求項４に記載の方法。
【請求項６】
前記移動局が前記ロック命令又はロック解除命令を実行して、前記スマートカードをロック又はロック解除するステップは、
前記移動局がスマートカードのハードウェアをロックすることによりスマートカードの機能を無効にし、スマートカードのハードウェアをロック解除することによりスマートカードの機能を有効にすること、
あるいは、前記移動局がプリインストールされたソフトウェアコンテンツを実行することによりスマートカードの機能を無効又は有効にすることを含む
ことを特徴とする請求項２に記載の方法。
【請求項７】
前記方法は、
前記スマートカードが位置する移動局がオフライン状態にある場合に、前記スマートカードをロック待ち状態又はロック解除待ち状態に更新することを更に含む
ことを特徴とする請求項１に記載の方法。
【請求項８】
前記方法は、
前記スマートカードがロック待ち状態又はロック解除待ち状態に更新された後、前記スマートカードが位置するオフライン状態の前記移動局が通常の使用状態に戻る場合に、前記モバイルネットワークプラットフォームが、前記スマートカードが位置する移動局にロック命令又はロック解除命令を送信し、前記移動局が前記ロック命令又は前記ロック解除命令を実行することを更に含む
ことを特徴とする請求項７に記載の方法。
【請求項９】
前記オフライン状態は、
前記移動局がパワーオフ状態にあること、
又は、
前記移動局がサービスエリア内にないことを含む
ことを特徴とする請求項８に記載の方法。
【請求項１０】
前記方法は、
前記スマートカードの管理プラットフォームがユーザからの前記要求を受信した後、前記スマートカードの管理プラットフォームが、前記スマートカードが有効であるか否かを判断することを更に含む
ことを特徴とする請求項１に記載の方法。
【請求項１１】
前記方法は、
前記スマートカードの管理プラットフォームがモバイルネットワークプラットフォームを介して端末側とインタラクションを行う前に、前記モバイルネットワークプラットフォームは前記端末側とセキュリティ認証を行うことを更に含む
ことを特徴とする請求項１に記載の方法。
【請求項１２】
前記方法は、
前記スマートカードの管理プラットフォームがユーザからのスマートカードに対するロック要求又はロック解除要求を受信した後、前記スマートカードの管理プラットフォームが前記モバイルネットワークプラットフォームを介して前記スマートカードが位置する移動局の状態情報を検索することを更に含む
ことを特徴とする請求項１に記載の方法。
【請求項１３】
前記スマートカードの管理プラットフォームがモバイルネットワークプラットフォームを介して、前記スマートカードが位置する移動局の状態情報を検索するステップは、
前記スマートカードの管理プラットフォームが前記モバイルネットワークプラットフォームを介して、前記移動局の移動識別コード及び位置エリア情報に応じて前記移動局の状態情報を検出することを含む
ことを特徴とする請求項１２に記載の方法。
【請求項１４】
前記スマートカードに対してロック又はロック解除を行うステップは、
前記スマートカード又は前記スマートカードの決済アプリケーションに対してロック又はロック解除を行うことを含む
ことを特徴とする請求項１〜１３のいずれか１項に記載の方法。
【請求項１５】
前記方法は、
前記スマートカード又は前記スマートカードの前記決済アプリケーションがロック状態にある場合に、前記スマートカードの前記決済アプリケーションが正常に使用できないことを更に含む
ことを特徴とする請求項１４に記載の方法。
【請求項１６】
スマートカードの遠隔ロック及びスマートカードの遠隔ロック解除の方法であって、
スマートカードの監視プラットフォームは、ユーザがスマートカードを違法に使用していること又は違法行為を修正したことを検出した場合、スマートカードの管理プラットフォームに通知することと、
前記スマートカードの管理プラットフォームは端末側とシグナリングインタラクションを行うことで、前記スマートカードに対するロック又はロック解除を完了するように前記端末側を制御することとを含む
ことを特徴とするスマートカードの遠隔ロック及びスマートカードの遠隔ロック解除の方法。
【請求項１７】
前記端末側は移動局及び前記スマートカードを含み、前記スマートカードに対するロック又はロック解除を完了するように前記端末側を制御するステップは、
前記スマートカードの管理プラットフォームがモバイルネットワークプラットフォームを介して前記スマートカードが位置する前記移動局の状態情報を検索することと、
前記移動局が通常の使用状態にある場合に、前記モバイルネットワークプラットフォームが前記移動局にロック命令又はロック解除命令を送信することと、
前記移動局が前記ロック命令又は前記ロック解除命令を実行して、前記スマートカードをロック又はロック解除することとを含む
ことを特徴とする請求項１６に記載の方法。
【請求項１８】
前記方法は、
前記移動局が前記ロック命令又は前記ロック解除命令を実行して、前記スマートカードをロック又はロック解除した後、前記移動局が前記モバイルネットワークプラットフォームに実行の成功を示すメッセージを返信することと、
前記モバイルネットワークプラットフォームが前記スマートカードの状態をロック状態又はロック解除状態に変更することとを更に含む
ことを特徴とする請求項１６に記載の方法。
【請求項１９】
前記スマートカードの管理プラットフォームが前記モバイルネットワークプラットフォームを介して前記スマートカードが位置する前記移動局の前記状態情報を検索するステップは、
前記スマートカードの管理プラットフォームが前記モバイルネットワークプラットフォームを介して前記移動局の移動識別コード及び位置エリア情報に応じて前記移動局の前記状態情報を検出することを含む
ことを特徴とする請求項１７に記載の方法。
【請求項２０】
前記方法は、
前記スマートカードの管理プラットフォームがモバイルネットワークプラットフォームを介して前記スマートカードが位置する移動局の状態情報を検索した後、前記スマートカードが位置する前記移動局がオフライン状態にある場合に、前記モバイルネットワークプラットフォームが自己の状態をロック待ち状態又はロック解除待ち状態に更新することを更に含む
ことを特徴とする請求項１６に記載の方法。
【請求項２１】
スマートカードの遠隔ロック及びスマートカードの遠隔ロック解除を行うシステムであって、
ロック命令又はロック解除命令を送信するためのモバイルネットワークプラットフォームと、
前記ロック命令又は前記ロック解除命令を実行してスマートカードをロック又はロック解除するための移動局と
を含むことを特徴とするスマートカードの遠隔ロック及びスマートカードの遠隔ロック解除を行うシステム。
【請求項２２】
前記システムは、
ユーザからのスマートカードに対するロック又はロック解除要求を受信し、あるいは、スマートカードの監視プラットフォームによって送信された、ユーザのスマートカード使用に対する不法行為に関する情報又は不法行為の修正に関する情報を受信し、前記モバイルネットワークプラットフォームを介して前記移動局とシグナリングインタラクションを行うためのスマートカードの管理プラットフォームを更に含む
ことを特徴とする請求項２１に記載のシステム。
【請求項２３】
前記モバイルネットワークプラットフォームは、前記スマートカードが位置する前記移動局の状態情報を検索する
ことを特徴とする請求項２１に記載のシステム。
【請求項２４】
端末局であって、
スマートカードに対するロック要求又はロック解除要求を受信するための受信モジュールと、
前記スマートカードに対するロック又はロック解除を実行するための実行モジュールと
を含むことを特徴とする端末局。
【請求項２５】
前記スマートカードに対する前記ロック又は前記ロック解除は、
前記スマートカードの決済アプリケーションのロック又はロック解除を含む
ことを特徴とする請求項２４に記載のシステム。
【請求項２６】
前記端末局は、
実行の成功を示すメッセージを送信するための送信モジュールを更に含む
ことを特徴とする請求項２４に記載のシステム。
【請求項２７】
モバイルネットワークプラットフォームであって、
移動局が通常の使用状態にある場合に、前記移動局にロック命令又はロック解除命令を送信するための送信モジュールと、
スマートカードの状態を変更するための変更モジュールと、
状態情報が前記スマートカードが位置する前記移動局がオフライン状態にあることを示す場合に、前記スマートカードの前記状態をロック待ち状態又はロック解除待ち状態に更新するための更新モジュールと
を含むことを特徴とするモバイルネットワークプラットフォーム。
【請求項２８】
前記モバイルネットワークプラットフォームは、
スマートカードの管理プラットフォームに前記スマートカードの前記状態をロック状態又はロック解除状態に更新するように通知するための通知モジュールを更に含む
ことを特徴とする請求項２７に記載のモバイルネットワークプラットフォーム。
【請求項２９】
前記スマートカードのロック又はロック解除は、
前記スマートカードの決済アプリケーションのロック又はロック解除を含む
ことを特徴とする請求項２７に記載のモバイルネットワークプラットフォーム。
【発明の詳細な説明】
【技術分野】
【０００１】
本発明はスマートカード技術に関し、特に、スマートカードの遠隔制御を行う方法及びシステムに関する。
【背景技術】
【０００２】
電子決済とは、商用の電子ツール及び各種電子マネーを媒体とし、コンピューター及び通信技術を用いて、電子データによる保存及び伝送という形で、コンピュータネットワークシステムにおいて資金の流通及び決済を実現することを指す。
【０００３】
近年、インターネット、移動通信、及びコンピューター等の技術の組み合わせに従って、モバイル決済を代表とするモバイル電子商取引が時代の要求に合わせて登場してきている。新しい電子決済方式であるモバイル決済は、いつでもどこでも素早く決済を行うことができるので便利であり、しかも決済コストが低い等、多くのメリットがある。消費者は携帯電話を持っていれば、融資又は取引を完了することができ、モバイル決済の利便性を享受することができる。今日では、携帯電話による決済は新しい電子商取引の方式として注目を集めている。
【０００４】
また、最近の調査によれば、インタビューの回答者の８２％が、携帯電話を紛失した場合又は盗難に遭った場合、他人がその携帯電話（スマートカードを含む）に保存された情報を利用して詐欺行為を働くことを心配していると答えた。インタビューの回答者の９０％は、携帯電話を紛失した後、自分の個人データや財務データが消えてしまうことを心配していると答え、他に、回答者の７２％は携帯電話に保存されている情報が非常に重要で、掛け替えのないものであると認めている。ユーザは携帯電話を用いて電子決済等の様々な活動を行うため、携帯電話の紛失は、ユーザにとって本当に災難である。今回の調査で、インタビューの回答者の９１％が、電子決済用の携帯電話を紛失することは、自分たちにとって深刻な損失であると答えている。一方で、人々が携帯電話にますます依存するにつれ、事業者はユーザに安心感を与える必要がある。携帯電話の利用がより普及するのはいいことであるが、携帯電話事業者は事故を未然に防ぐために、ユーザの個人データ情報のセキュリティレベル及び管理レベルを強化する必要がある。現在、電子決済機能を搭載した携帯電話を紛失した場合、及び盗難された場合の解決策として、既にいくつかの解決策が提案されている。しかしながら、これらの解決策にはいくつかの欠点がある。例えば、電子決済機能を搭載した携帯電話を紛失した場合、又は盗難された場合のシステムが現在の決済プロセスと大きく異なり、大幅な修正を行う必要がある。システムのセキュリティが不十分なため、ユーザの決済情報を他人が不正使用し、決済が偽造されてしまう。あるいは、システムが携帯電話の紛失に対する処理に遅れることで、ユーザに深刻な損失をもたらし、不安感を与えてしまう。現在、有効な解決策はまだ提案されていない。
【発明の概要】
【発明が解決しようとする課題】
【０００５】
電子決済機能を搭載した携帯電話を紛失した場合、又は盗難された場合のシステムが現在の決済プロセスと大きく異なり、大幅な修正を行う必要があるという問題、システムのセキュリティが不十分なため、ユーザの決済情報を他人が不正使用し、決済が偽造されるという問題、あるいは、システムが携帯電話の紛失に対する処理に遅れることで、ユーザに深刻な損失をもたらし、不安感を与えてしまうという問題に対して、本発明が提案される。上記問題を解決するために、本発明の主な目的は、スマートカードの遠隔制御を行う方法及びシステムを提供することにある。
【課題を解決するための手段】
【０００６】
上記目的を実現するために、本発明の一側面によれば、スマートカードの遠隔制御を行う方法が提供される。
【０００７】
本発明の一実施形態に係るスマートカードの遠隔制御を行う方法は、
スマートカードの管理プラットフォームが、ユーザからのスマートカードに対するロック要求又はロック解除要求を受信した後、モバイルネットワークプラットフォームを介して端末側とインタラクションを行い、スマートカードに対してロック又はロック解除を行うように端末側を制御することを含む。
【０００８】
好ましくは、当該端末側は、
移動局及びスマートカードを含む。
【０００９】
好ましくは、スマートカードに対してロック又はロック解除を行うように端末側を制御するステップは、
移動局が、通常の使用状態において、モバイルネットワークプラットフォームによって送信されたロック命令又はロック解除命令を受信することと、
移動局が、ロック命令又はロック解除命令を実行して、スマートカードをロック又はロック解除することとを含む。
【００１０】
好ましくは、当該方法は、
移動局が、スマートカードに対してロック又はロック解除を行った後において、スマートカードがロック状態又はロック解除状態にあることを更に含む。
【００１１】
好ましくは、当該方法は、
移動局が、スマートカードに対してロック又はロック解除を行った後、モバイルネットワークプラットフォームに実行の成功を示すメッセージを返信することを更に含む。
【００１２】
好ましくは、移動局がロック命令又はロック解除命令を実行して、スマートカードをロック又はロック解除するステップは、
移動局がスマートカードのハードウェアをロックすることによりスマートカードの機能を無効にし、スマートカードのハードウェアをロック解除することによりスマートカードの機能を有効にすること、
あるいは、移動局がプリインストールされたソフトウェアコンテンツを実行することによりスマートカードの機能を無効又は有効にすることを含む。
【００１３】
好ましくは、当該方法は、
スマートカードが位置する移動局がオフライン状態にある場合に、スマートカードをロック待ち状態又はロック解除待ち状態に更新することを更に含む。
【００１４】
好ましくは、当該方法は、
スマートカードがロック待ち状態又はロック解除待ち状態に更新された後、スマートカードが位置するオフライン状態の移動局が通常の使用状態に戻る場合に、モバイルネットワークプラットフォームが、スマートカードが位置する移動局にロック命令又はロック解除命令を送信し、移動局が当該ロック命令又はロック解除命令を実行することを更に含む。
【００１５】
好ましくは、当該オフライン状態は、
移動局がパワーオフ状態にあること、
又は、
移動局がサービスエリア内にないことを含む。
【００１６】
好ましくは、当該方法は、
スマートカードの管理プラットフォームが、ユーザからの要求を受信した後、スマートカードが有効であるか否かを判断することを更に含む。
【００１７】
好ましくは、当該方法は、
スマートカードの管理プラットフォームがモバイルネットワークプラットフォームを介して端末側とインタラクションを行う前に、モバイルネットワークプラットフォームが端末側とセキュリティ認証を行うことを更に含む。
【００１８】
好ましくは、当該方法は、
スマートカードの管理プラットフォームが、ユーザからのスマートカードに対するロック要求又はロック解除要求を受信した後、モバイルネットワークプラットフォームを介してスマートカードが位置する移動局の状態情報を検索することを更に含む。
【００１９】
好ましくは、スマートカードの管理プラットフォームがモバイルネットワークプラットフォームを介してスマートカードが位置する移動局の状態情報を検索するステップは、
スマートカードの管理プラットフォームがモバイルネットワークプラットフォームを介して、移動局の移動識別コード及び位置エリア情報に応じて移動局の状態情報を検出することを含む。
【００２０】
好ましくは、スマートカードに対してロック又はロック解除を行うステップは、
スマートカード又はスマートカードの決済アプリケーションに対してロック又はロック解除を行うことを含む。
【００２１】
好ましくは、当該方法は、
スマートカード又はスマートカードの決済アプリケーションがロック状態にある場合に、スマートカードの決済アプリケーションを正常に使用できないことを更に含む。
【００２２】
上記目的を実現するために、本発明のもう一つの側面によれば、スマートカードの遠隔制御を行う方法が提供される。
【００２３】
本発明の一実施形態に係るスマートカードの遠隔制御を行う方法は、
スマートカードの監視プラットフォームが、ユーザのスマートカードの使用に不法行為があったこと又は不法行為が修正されたことを検出した場合、スマートカードに対してロック又はロック解除するようにスマートカードの管理プラットフォームに通知することと、
スマートカードの管理プラットフォームが端末側とシグナリングインタラクションを行うことで、スマートカードに対するロック又はロック解除を完了するように端末側を制御することとを含む。
【００２４】
好ましくは、端末側は移動局及びスマートカードを含み、また、スマートカードの管理プラットフォームが端末側とシグナリングインタラクションを行うことで、スマートカードに対してロック又はロック解除を完了するように端末側を制御するステップは、
スマートカードの管理プラットフォームがモバイルネットワークプラットフォームを介してスマートカードが位置する移動局の状態情報を検索することと、
移動局が通常の使用状態にある場合に、モバイルネットワークプラットフォームが移動局にロック命令又はロック解除命令を送信することと、
移動局が当該ロック命令又はロック解除命令を実行して、スマートカードをロック又はロック解除することとを含む。
【００２５】
好ましくは、当該方法は、
移動局が、ロック命令又はロック解除命令を実行して、スマートカードをロック又はロック解除した後、モバイルネットワークプラットフォームに実行の成功を示すメッセージを返信することと、
モバイルネットワークプラットフォームがスマートカードの状態をロック状態又はロック解除状態に変更することとを更に含む。
【００２６】
好ましくは、スマートカードの管理プラットフォームがモバイルネットワークプラットフォームを介してスマートカードが位置する移動局の状態情報を検索するステップは、
スマートカードの管理プラットフォームがモバイルネットワークプラットフォームを介して移動局の移動識別コード及び位置エリア情報に応じて移動局の状態情報を検索することを含む。
【００２７】
好ましくは、当該方法は、
スマートカードの管理プラットフォームがモバイルネットワークプラットフォームを介してスマートカードが位置する移動局の状態情報を検索した後、スマートカードが位置する移動局がオフライン状態にある場合に、モバイルネットワークプラットフォームが自己の状態をロック待ち状態又はロック解除待ち状態に更新することを更に含む。
【００２８】
上記目的を実現するために、本発明のもう一つの側面によれば、スマートカードの遠隔制御を行うシステムが提供される。
【００２９】
当該システムは、
【００３０】
ロック命令又はロック解除命令を送信するためのモバイルネットワークプラットフォームと、
ロック命令又はロック解除命令を実行してスマートカードをロック又はロック解除するための移動局とを含む。
【００３１】
好ましくは、当該システムは、
ユーザからのスマートカードに対するロック要求又はロック解除要求を受信し、あるいは、スマートカードの監視プラットフォームによって送信された、ユーザのスマートカード使用における不法行為に関する情報又は不法行為の修正に関する情報を受信し、モバイルネットワークプラットフォームを介して移動局とシグナリングインタラクションを行うためのスマートカードの管理プラットフォームを更に含む。
【００３２】
好ましくは、当該スマートカードの管理プラットフォームは、ユーザのスマートカードの使用に不法行為又は不法行為の修正があるか否かを監視する。
【００３３】
好ましくは、当該モバイルネットワークプラットフォームは、スマートカードが位置する移動局の状態情報を検索する。
【００３４】
上記目的を実現するために、本発明のもう一つの側面によれば、端末局が提供される。
【００３５】
当該端末局は、
【００３６】
スマートカードに対するロック要求又はロック解除要求を受信するための受信モジュールと、
スマートカードに対するロック又はロック解除を実行するための実行モジュールとを含む。
【００３７】
好ましくは、スマートカードに対するロック又はロック解除は、
スマートカードの決済アプリケーションのロック又はロック解除を含む。
【００３８】
好ましくは、当該端末局は、
実行の成功を示すメッセージを送信するための送信モジュールを更に含む。
【００３９】
上記目的を実現するために、本発明のもう一つの側面によれば、モバイルネットワークプラットフォームが提供される。
【００４０】
当該モバイルネットワークプラットフォームは、
移動局が通常の使用状態にある場合に、当該移動局にロック命令又はロック解除命令を送信するための送信モジュールと、
スマートカードの状態を変更するための変更モジュールと、
状態情報がスマートカードが位置する移動局がオフライン状態にあることを示す場合に、スマートカードの状態をロック待ち状態又はロック解除待ち状態に更新するための更新モジュールとを含む。
【００４１】
好ましくは、当該モバイルネットワークプラットフォームは、
スマートカードの管理プラットフォームにスマートカードの状態をロック状態又はロック解除状態に更新するように通知するための通知モジュールを更に含む。
【００４２】
好ましくは、当該スマートカードのロック又はロック解除は、
スマートカードの決済アプリケーションのロック又はロック解除を含む。
【００４３】
本発明によれば、スマートカードの管理プラットフォームはユーザからのスマートカードに対するロック要求又はロック解除要求を受信し、当該要求に応じてモバイルネットワークプラットフォームを介して端末側とインタラクションを行い、端末側にスマートカードに対するロック又はロック解除を行うようにさせる。これにより、電子決済機能を搭載した携帯電話を紛失した場合、又は盗難に遭った場合のシステムが現在の決済プロセスと大きく異なり、大幅な修正を行う必要があるという問題、システムのセキュリティが不十分なため、ユーザの決済情報を他人が不正使用し、決済が偽造されるという問題、あるいは、システムが携帯電話の紛失に対する処理に遅れるため、ユーザに深刻な損失をもたらし、不安感を与えてしまうという問題が解決される。したがって、決済用のユーザ端末を奪われた場合、紛失した場合、盗難に遭った場合、あるいは深刻な不法行為に使用された場合に、これによって生じる損失が避けられ、決済システムに対する高い柔軟性が提供される。
【図面の簡単な説明】
【００４４】
【図１】本発明の一実施形態に係るスマートカードの遠隔制御を行う方法のフローチャートである。
【図２】本発明の一実施形態に係るスマートカードの遠隔制御を行う好ましい方法のフローチャートである。
【図３】本発明の一実施形態に係るスマートカードの遠隔制御を行う好ましい方法のフローチャートである。
【図４】本発明の一実施形態に係るネットワーク側の状態を示す模式図である。
【図５】本発明の一実施形態に係る端末側の状態を示す模式図である。
【図６】本発明の一実施形態に係るシステムにおけるシグナリングインタラクションを示す模式図である。
【図７】本発明の一実施形態に係るスマートカードの遠隔制御を行う好ましい方法のフローチャートである。
【図８】本発明の一実施形態に係るスマートカードの遠隔制御を行う好ましい方法のフローチャートである。
【図９】本発明の一実施形態に係るスマートカードの遠隔制御を行う好ましいシステムを示す模式図である。
【図１０】本発明の一実施形態に係るスマートカードの遠隔制御を行う好ましいシステムを示す模式図である。
【図１１】本発明の一実施形態に係る移動局を示す模式図である。
【図１２】本発明の一実施形態に係るモバイルネットワークプラットフォームを示す模式図である。
【発明を実施するための形態】
【００４５】
電子決済機能を搭載した携帯電話を紛失した場合、又は盗難に遭った場合のシステムが現在の決済プロセスと大きく異なり、大幅な修正を行う必要があるという問題、システムのセキュリティが不十分なため、ユーザの決済情報を他人が不正使用し、決済が偽造されるという問題、あるいは、システムが携帯電話の紛失に対する処理に遅れることで、ユーザに深刻な損失をもたらし、不安感を与えてしまうという問題を考慮して、本発明の一実施形態によれば、スマートカードの遠隔制御を行う方法及びシステムが提供される。当該方法は、スマートカードの管理プラットフォームがユーザからのスマートカードに対するロック要求又はロック解除要求を受信するステップと、スマートカードの管理プラットフォームが当該要求に応じて端末側とインタラクションを行うことで、端末側にスマートカードに対してロック又はロック解除を行うようにさせるステップとを含む。
【００４６】
なお、矛盾しない限り、本実施形態及び本実施形態における特徴は互いに組み合わせてもよい。以下、図面を参照しながら実施形態と合わせて本発明を詳しく説明する。
【００４７】
実施形態１
本発明の一実施形態によれば、スマートカードの遠隔制御を行う方法が提供される。
【００４８】
図１は本発明の一実施形態に係るスマートカードの遠隔制御を行う方法のフローチャートである。
【００４９】
図１に示すように、当該方法には以下のステップＳ１０１〜ステップＳ１０３が含まれる。
【００５０】
ステップＳ１０１において、スマートカードの管理プラットフォームは、ユーザからのスマートカードに対するロック要求又はロック解除要求を受信する。
【００５１】
ステップＳ１０３において、スマートカードの管理プラットフォームは、当該要求に応じて端末側とインタラクションを行うことで、端末側にスマートカードに対してロック又はロック解除を行うようにさせる。
【００５２】
以下、実施例を組み合わせて本実施形態の実現プロセスを詳しく説明する。
【００５３】
図３は本発明の一実施形態に係るスマートカードの遠隔制御を行う好ましい方法のフローチャートである。図３に示すように、本実施例のスマートカードの遠隔制御を行う方法には、以下のステップＳ１１〜Ｓ１３が含まれる。
【００５４】
ステップＳ１１において、スマートカード監視機構（例えば決済システムのプラットフォーム、決済アプリケーションの管理プラットフォーム、又はスマートカードの管理プラットフォーム）はユーザのスマートカードの使用に不法行為があったこと又は不法行為が修正されたことを検出した場合、モバイルネットワークプラットフォームに処理を行うように通知する。
【００５５】
ステップＳ１２において、モバイルネットワークプラットフォームは端末側（端末、スマートカード）とシグナリングインタラクションを行う。
【００５６】
ステップＳ１３において、端末側（端末、スマートカード）はスマートカードのロック／ロック解除を完了する。
【００５７】
本発明の本質は、モバイルネットワークプラットフォームがOTAシグナリングを送信すること及び移動端末とインタラクションを行うことにある。移動局又はスマートカードに含まれている既存のセキュリティ特性及びその装置をトリガすることで、スマートカードのロック及びロック解除（又は無効及び有効とも称する）を完了する。セキュリティ特性はスマートカードのロック、スマートカードの決済アプリケーション機能のロック、端末の使用のロック、（端末のキーボードの使用のロック、端末のハングアップ、端末が起動できないこと、端末アラーム等を含む）を含んでもよい。
【００５８】
スマートカード及びスマートカードが位置する移動局を奪われた場合、紛失した場合、盗難に遭った場合、又は深刻な不法行為に使用された場合、ユーザ及びスマートカード関連部門のセキュリティを最大限に保護し、決済システムに高い柔軟性を提供するために、本方法を用いて、ユーザとスマートカード監視部門はモバイルネットワークプラットフォームを介してスマートカード及び端末に対してOTAシグナリングによるロック及びロック解除を行い、スマートカードをロック及びロック解除することができる。
【００５９】
本発明の一つの側面によれば、電子決済サービスに基づいてスマートカードの遠隔制御を行う方法が提供される。
【００６０】
図２は本発明の一実施形態に係るスマートカードの遠隔制御を行う好ましい方法のフローチャートである。図４は本発明の一実施形態に係るネットワーク側の状態を示す模式図である。図５は本発明の一実施形態に係る端末側の状態を示す模式図である。
【００６１】
図４及び図５に関して、図２に示すように、当該スマートカードの遠隔制御を行う方法には以下のステップＳ１〜Ｓ３が含まれる。
【００６２】
ステップＳ１において、ユーザはスマートカードに対してロック又はロック解除を行うようにスマートカードの管理プラットフォームに問い合わせる。
【００６３】
ステップＳ２において、モバイルネットワークプラットフォームは端末側（端末、スマートカード）とシグナリングインタラクションを行う。
【００６４】
ステップＳ３において、端末側はスマートカードのロック／ロック解除を完了する。
【００６５】
図７は本発明の一実施形態に係るスマートカード遠隔制御を行う好ましい方法のフローチャートである。図７に関して、上記ステップＳ２には以下のステップＳ１００〜ステップＳ１０４が含まれる。
【００６６】
ステップＳ１００において、ユーザから送信された、スマートカードに対するロック又はロック解除要求を受信した後（スマートカードのロック要求／ロック解除要求はスマートカードの管理プラットフォームに送信される）、管理プラットフォームはスマートカードの情報とデータベースの情報を照合させる。スマートカードが無効の場合、管理プラットフォームは失敗メッセージを返信し、処理プロセスが終了する。スマートカードが有効の場合、次のステップに進む。
【００６７】
ステップＳ１０２において、スマートカードの管理プラットフォームはモバイルネットワークプラットフォームを介して当該スマートカードが位置する移動局の現在の状態情報を検索する。スマートカードが位置する移動局が通常のオン状態にある場合、モバイルネットワークプラットフォームからスマートカードが位置する移動局にロック／ロック解除命令が直接送信される。スマートカードが位置する移動局は、このロック／ロック解除命令を実行してスマートカードをロック／ロック解除した後、モバイルネットワークプラットフォームに成功メッセージを返信する。モバイルネットワークプラットフォームは当該スマートカードの状態をロック／ロック解除状態に変更し、スマートカードの管理プラットフォームにスマートカードの状態をロック／ロック解除状態に更新するように通知する。スマートカードが位置する移動局がオフライン状態（パワーオフ状態、電源は入っているがサービスエリアにない状態等）であると、モバイルネットワークプラットフォームはその状態をロック待ち／ロック解除待ち状態に更新し、それと同時に、スマートカードの管理プラットフォームに状態に関するデータベースを更新するように通知する。
【００６８】
ステップＳ１０４において、スマートカードが位置するオフライン状態（パワーオフ状態、電源は入っているがサービスエリアにない等）の移動局の電源が入れられ、又は移動局がサービスエリアに入り、モバイルネットワークプラットフォームに登録を行う場合に、モバイルネットワークプラットフォームはスマートカードが位置する移動局がロック待ち／ロック解除待ち状態にあることを検出し、スマートカードが位置する移動局にロック／ロック解除命令を送信する。移動局は、このロック／ロック解除命令を実行し、スマートカードをロック／ロック解除した後、モバイルネットワークプラットフォームに成功メッセージを返信する。モバイルネットワークプラットフォームは、その状態をロック／ロック解除状態に更新し、スマートカードの管理プラットフォームに状態に関するデータベースを同期するように通知する。
【００６９】
当該方法では、ステップＳ１０２／Ｓ１０４において、スマートカードが位置する移動局がモバイルネットワークプラットフォームから送信されたロック／ロック解除命令を実行する前に、当該ロック／ロック解除命令がスマートカードの管理プラットフォームから送信されたことを確認するセキュリティ認証プロセスを含むべきである。
【００７０】
本実施形態では、ユーザからスマートカードの管理プラットフォームにスマートカードに対するロック要求が送信された場合、それに応じて後続のロック動作が行われる。ユーザからスマートカードの管理プラットフォームにスマートカードに対するロック解除要求が送信された場合、それに応じて後続のロック解除動作が行われる。
【００７１】
図６は本発明の一実施形態に係るシステムにおけるシグナリングインタラクションを示す模式図である。図６に示すように、ユーザとモバイルネットワークプラットフォームとの間において、図に示すシグナリングを介してシグナリングインタラクションを実現する。
【００７２】
当該方法では、ステップＳ１０２において、スマートカードが位置する移動局がロック／ロック解除命令を実行してスマートカードをロック／ロック解除する。これには、以下のステップＳ２０１〜ステップＳ２０２が含まれる。
【００７３】
ステップＳ２０１において、物理ハードウェア（装置）をロックすることによりスマートカードの機能を無効にし、また、スマートカードの決済機能を無効にする。あるいは、物理ハードウェア（装置）をロック解除することによりスマートカードの機能を有効にし、また、スマートカードの決済機能を有効にする。
【００７４】
ステップＳ２０２において、プリインストールされたソフトウェアコンテンツ（装置）を実行することによりスマートカードの機能を無効にし、また、スマートカードの決済機能を無効にする。あるいは、プリインストールされたソフトウェアコンテンツ（装置）を実行することによりスマートカードの機能を有効にし、また、スマートカードの決済機能を有効にする。
【００７５】
上記ステップＳ２０２に記載のプリインストールされたソフトウェアコンテンツ（装置）は、スマートカードにプリインストールしてもよく、スマートカードが位置する移動局にプリインストールしてもよい。
【００７６】
スマートカードが位置する端末にソフトウェアコンテンツをプリインストールし、移動局がロック／ロック解除命令を実行するステップには、以下のステップＳ３００〜ステップＳ３０２が含まれる。
【００７７】
ステップＳ３００において、スマートカード内の決済データを廃棄する。
【００７８】
ステップＳ３０２において、スマートカードのロック／ロック解除プログラムである、端末におけるプリインストールされたソフトウェアコンテンツを実行する。
【００７９】
スマートカードにソフトウェアコンテンツをプリインストールし、移動局がロック／ロック解除命令を実行するステップには、以下のステップＳ４０２〜ステップＳ４０６が含まれる。
【００８０】
ステップＳ４０２において、スマートカードのロック／ロック解除プログラムである、スマートカードにプリインストールされたソフトウェアコンテンツを端末にコピーする。
【００８１】
ステップＳ４０４において、スマートカード内の決済データを廃棄する。
【００８２】
ステップＳ４０６において、スマートカードのロック／ロック解除のバックアッププログラムである、端末にコピーされたソフトウェアコンテンツを実行する。
【００８３】
また、ステップＳ１０２では、スマートカードの管理プラットフォームがモバイルネットワークプラットフォームを介して当該スマートカードが位置する移動局の現在の状態情報を検索する。モバイルネットワークプラットフォームは、移動局の移動識別コード及び位置エリア情報に応じて、移動局の状態情報を検出する。
【００８４】
ステップＳ１０４において、スマートカードが位置するオフライン状態（パワーオフ状態、電源は入っているがサービスエリアにない等）の移動局の電源が入れられ、又は移動局がサービスエリアに入り、モバイルネットワークプラットフォームに登録を行う場合に、モバイルネットワークプラットフォームはスマートカードが位置する移動局がロック待ち／ロック解除待ち状態にあることを検出すると、通知メッセージをスマートカードの管理プラットフォームに送信し、スマートカードが位置する移動局にロック／ロック解除命令を送信する。移動局はこのロック／ロック解除命令を実行し、スマートカードをロック／ロック解除した後、モバイルネットワークプラットフォームに成功メッセージを返信する。モバイルネットワークプラットフォームは、その状態をロック／ロック解除状態に更新し、スマートカードの管理プラットフォームに状態に関するデータベースを同期するように通知する。
【００８５】
本発明のもう１つの側面によれば、電子決済サービスに基づいてスマートカードの遠隔ロックを行う方法及び遠隔ロック解除を行う方法が提供される。図３は本発明の一実施形態に係るスマートカードの遠隔制御を行う好ましい方法のフローチャートである。図８は本発明の一実施形態に係るスマートカードの遠隔制御を行う好ましい方法のフローチャートである。図８に関して、図３に示すように、本実施例のスマートカードの遠隔制御を行う方法には以下のステップＳ１１〜ステップＳ１３が含まれる。
【００８６】
ステップＳ１１において、スマートカード監視機構（例えば決済システムのプラットフォーム、決済アプリケーションの管理プラットフォーム、又はスマートカードの管理プラットフォーム）はユーザのスマートカードの使用に不法行為があったこと又は不法行為が修正されたことを検出した場合、モバイルネットワークプラットフォームに処理を行うように通知する。
【００８７】
ステップＳ１２において、モバイルネットワークプラットフォームは端末側（端末、スマートカード）とシグナリングインタラクションを行う。
【００８８】
ステップＳ１３において、端末側（端末、スマートカード）はスマートカードのロック／ロック解除を完了する。
【００８９】
本実施形態では、ユーザのスマートカードの使用に不法行為があることが発見された場合、それに応じて後続のロック動作が行われる。ユーザが既に不法行為を修正したことが発見された場合、それに応じて後続のロック解除動作が行われる。
【００９０】
ステップＳ１１は以下のステップＳ５０２〜ステップＳ５０４を含んでもよい。
【００９１】
ステップＳ５０２において、スマートカードの管理プラットフォームはモバイルネットワークプラットフォームに当該スマートカードが位置する移動局の現在の状態情報を検索するように通知する。スマートカードが位置する移動局が通常のオン状態にある場合、モバイルネットワークプラットフォームからスマートカードが位置する移動局にロック／ロック解除命令が直接送信される。スマートカードが位置する移動局は、当該ロック／ロック解除命令を実行してスマートカードをロック／ロック解除した後、モバイルネットワークプラットフォームに成功メッセージを返信する。モバイルネットワークプラットフォームは当該スマートカードの状態をロック／ロック解除状態に変更し、スマートカードの管理プラットフォームにスマートカードの状態をロック／ロック解除状態に更新するように通知する。スマートカードが位置する移動局がオフライン状態（パワーオフ状態、電源は入っているがサービスエリアにない等）であると、モバイルネットワークプラットフォームはその状態をロック待ち／ロック解除待ち状態に更新し、スマートカードの管理プラットフォームに状態に関するデータベースを更新するように通知する。
【００９２】
ステップＳ５０４において、スマートカードが位置するオフライン状態（パワーオフ状態、電源は入っているがサービスエリアにない等）の移動局の電源が入れられ、又は移動局がサービスエリアに入り、モバイルネットワークプラットフォームに登録を行う場合に、モバイルネットワークプラットフォームはスマートカードが位置する移動局がロック待ち／ロック解除待ち状態にあることを検出し、スマートカードが位置する移動局にロック／ロック解除命令を送信する。移動局は、このロック／ロック解除命令を実行し、スマートカードをロック／ロック解除した後、モバイルネットワークプラットフォームに成功メッセージを返信する。モバイルネットワークプラットフォームは、その状態をロック／ロック解除状態に更新し、スマートカードの管理プラットフォームに状態に関するデータベースを同期するように通知する。
【００９３】
当該方法では、ステップＳ５０２／Ｓ５０４において、スマートカードが位置する移動局がモバイルネットワークプラットフォームから送信されたロック／ロック解除命令を実行する前に、そのロック／ロック解除命令がスマートカードの管理プラットフォームから送信されたことを確認するセキュリティ認証プロセスを含むべきである。
【００９４】
当該方法では、ステップＳ５０２において、スマートカードが位置する移動局がこのロック／ロック解除命令を実行してスマートカードをロック／ロック解除する。これには、以下のステップＳ６０１〜ステップＳ６０２が含まれる。
【００９５】
ステップＳ６０１において、物理ハードウェア（装置）をロックすることによりスマートカードの機能を無効にし、また、スマートカードの決済機能を無効にする。あるいは、物理ハードウェア（装置）をロック解除することによりスマートカードの機能を有効にし、また、スマートカードの決済機能を有効にする。
【００９６】
ステップＳ６０２において、プリインストールされたソフトウェアコンテンツ（装置）を実行することによりスマートカードの機能を無効にし、また、スマートカードの決済機能を無効にする。あるいは、プリインストールされたソフトウェアコンテンツ（装置）を実行することによりスマートカードの機能を有効にし、また、スマートカードの決済機能を有効にする。
【００９７】
上記ステップＳ６０２に記載のプリインストールされたソフトウェアコンテンツ（装置）は、スマートカードにプリセットしてもよく、スマートカードが位置する移動局にプリインストールしてもよい。
【００９８】
ステップＳ１２に関する説明は、上記ステップＳ２に関する説明を参照する。
【００９９】
スマートカードが位置する端末にソフトウェアコンテンツをプリインストールし、移動局がロック／ロック解除命令を実行するステップにはステップＳ７００〜ステップＳ７０２が含まれる。
【０１００】
ステップＳ７００において、スマートカード内の決済データを廃棄する。
【０１０１】
ステップＳ７０２において、スマートカードのロック／ロック解除プログラムである、端末におけるプリインストールされたソフトウェアコンテンツを実行する。
【０１０２】
スマートカードにソフトウェアコンテンツをプリインストールし、移動局がロック／ロック解除命令を実行するステップには、以下のステップＳ８０２〜ステップＳ８０６が含まれる。
【０１０３】
ステップＳ８０２において、スマートカードのロック／ロック解除プログラムである、スマートカードにプリインストールされたソフトウェアコンテンツを端末にコピーする。
【０１０４】
ステップＳ８０４において、スマートカード内の決済データを廃棄する。
【０１０５】
ステップＳ８０６において、スマートカードのロック／ロック解除のバックアッププログラムである、端末にコピーされたソフトウェアコンテンツを実行する。
【０１０６】
また、ステップＳ５０２では、スマートカードの管理プラットフォームがモバイルネットワークプラットフォームを介して当該スマートカードが位置する移動局の現在の状態情報を検索する。モバイルネットワークプラットフォームは、移動局の移動識別コード及び位置エリア情報に応じて、移動局の状態情報を検出する。
【０１０７】
ステップＳ５０４において、スマートカードが位置するオフライン状態（パワーオフ状態、電源は入っているがサービスエリアにない等）の移動局の電源が入れられ、又は移動局がサービスエリアに入り、モバイルネットワークプラットフォームに登録を行う場合に、モバイルネットワークプラットフォームはスマートカードが位置する移動局がロック待ち／ロック解除待ち状態にあることを検出すると、通知メッセージをスマートカードの管理プラットフォームに送信し、スマートカードが位置する移動局にロック／ロック解除命令を送信する。移動局はこのロック／ロック解除命令を実行し、スマートカードをロック／ロック解除した後、モバイルネットワークプラットフォームに成功メッセージを返信する。モバイルネットワークプラットフォームは、その状態をロック／ロック解除状態に更新し、スマートカードの管理プラットフォームに状態に関するデータベースを同期するように通知する。
【０１０８】
本発明のもう１つの側面によれば、電子決済サービスに基づいてスマートカードの遠隔ロック及び遠隔ロック解除を行う装置が提供される。当該装置には以下の装置が含まれる。
要求装置であって、ユーザからの要求を取得する要求装置。
通信装置であって、モバイルネットワークプラットフォームと移動局との間のインタラクション、並びに、モバイルネットワークプラットフォームとスマートカードの管理プラットフォームとの間の通信及びデータ同期等を行うための通信装置。
実行装置であって、移動局がスマートカードのロック及びロック解除を実行するための実行装置。
【０１０９】
以上のように、スマートカードにはｓｉｍカード、Ｒ−ＵＩＭカード、ｕｓｉｍカード、ｃｓｉｍカード、ＵＩＣＣカード、ｊａｖａカード、クレジットカード、交通カード、プリペイドカード及び上記カード類の組み合わせが含まれるが、これに限られない。
【０１１０】
移動端末にはＧＳＭ、ＣＤＭＡ、ＷＣＤＭＡ、Ｔｄ−Ｓｃｄｍａ、ｃｄｍａ２０００、データカード、固定局、ＬＴＥ、ＬＴＥ+等のシステム及びそれらの任意の組み合わせによるデュアルモード又は複数モード端末が含まれるが、これに限られない。
【０１１１】
本発明の一実施形態によれば、スマートカードの遠隔制御を行うシステムが提供される。
【０１１２】
図９は本発明の一実施形態に係るスマートカードの遠隔制御を行う好ましいシステムの模式図である。
【０１１３】
図９に示すように、当該システムには要求装置、通信装置、及び実行装置が含まれる。
【０１１４】
具体的には、要求装置はユーザからの要求を取得するように構成される。通信装置はモバイルネットワークプラットフォームと移動局との間のインタラクション、モバイルネットワークプラットフォームとスマートカードの管理プラットフォームとの間の通信及びデータ同期等を行うように構成される。実行装置はスマートカードのロック及びロック解除を実行するように構成される。
【０１１５】
図１０は本発明の一実施形態に係るスマートカードの遠隔制御を行う好ましいシステムの模式図である。
【０１１６】
図１０に示すように、当該システムは、モバイルネットワークプラットフォーム１０３、移動局１０１、スマートカードの管理プラットフォーム１０７、決済システムのプラットフォーム１０５を含み、モバイルネットワークプラットフォーム１０３及びスマートカードの管理プラットフォーム１０７はいずれも決済システムのプラットフォーム１０５に接続される。
【０１１７】
モバイルネットワークプラットフォーム１０３は、移動局１０１にロック命令又はロック解除命令を送信する。移動局１０１は、当該ロック命令又はロック解除命令を実行してスマートカードをロック又はロック解除する。
【０１１８】
好ましくは、ユーザ１０９がスマートカードの管理プラットフォーム１０７にスマートカードに対してロック又はロック解除を行うことを要求する場合に、スマートカードの管理プラットフォーム１０７はモバイルネットワークプラットフォーム１０３を介して当該スマートカードが位置する移動局の現在の状態情報を検索する。スマートカードが位置する移動局が通常のオン状態にある場合、モバイルネットワークプラットフォーム１０３からスマートカードが位置する移動局１０１にロック／ロック解除命令が直接送信される。スマートカードが位置する移動局１０１は、このロック／ロック命令を実行してスマートカードをロック／ロック解除した後、モバイルネットワークプラットフォーム１０３に成功メッセージを返信する。モバイルネットワークプラットフォーム１０３は、当該スマートカードの状態をロック／ロック解除状態に変更し、スマートカードの管理プラットフォーム１０７にスマートカードの状態をロック／ロック解除状態に更新するように通知する。スマートカードが位置する移動局１０１がオフライン状態（パワーオフ状態、電源は入っているがサービスエリアにない等）であると、モバイルネットワークプラットフォーム１０３は、その状態をロック待ち／ロック解除待ち状態に更新し、それと同時に、スマートカードの管理プラットフォーム１０７に状態に関するデータベースを更新するように通知する。
【０１１９】
図１１は本発明の一実施形態に係る移動局を示す模式図である。
【０１２０】
図１１に示すように、当該移動局は、実行モジュール１１１及び送信モジュール１１３を含む。
【０１２１】
実行モジュール１１１は、スマートカードに対するロック又はロック解除を実行するように構成される。送信モジュール１１３は、変更成功メッセージを送信するように構成される。
【０１２２】
図１２は本発明の一実施形態に係るモバイルネットワークプラットフォームを示す模式図である。
【０１２３】
図１２に示すように、当該モバイルネットワークプラットフォームは、検索モジュール１２１、送信モジュール１２３、変更モジュール１２５、通知モジュール１２７及び更新モジュール１２９を含む。
【０１２４】
具体的には、検索モジュール１２１はスマートカードが位置する移動局の状態情報を検索するように構成される。送信モジュール１２３は、移動局の状態情報が通常の使用状態にあることを示す場合に、移動局にロック命令又はロック解除命令を送信するように構成される。変更モジュール１２５は、スマートカードの状態をロック状態又はロック解除状態に変更するように構成される。通知モジュール１２７は、スマートカードの管理プラットフォームにスマートカードの状態をロック状態又はロック解除状態に更新するように通知するように構成される。更新モジュール１２９は、状態情報がスマートカードが位置する移動局がオフライン状態にあることを示す場合に、自己の状態をロック待ち状態又はロック解除待ち状態に更新するように構成される。
【０１２５】
以上の説明から明らかなように、本発明によれば、決済用のユーザ端末を奪われた場合、紛失した場合、盗難に遭った場合、あるいは深刻な不法行為に使用された場合に、これによって生じる損失が避けられ、決済システムに対する高い柔軟性が提供される。
【０１２６】
以上は、本発明の好適な実施形態に過ぎず、本発明を制限するものではない。本分野の当業者においては、本発明に関して各種の変更と修正を行うことができる。本発明の主旨精神と原則を逸脱しない範囲で、あらゆる修正、同等の置換、改良等が、本発明の保護範囲に含まれる。
【図１】
2013503507.tif 000003
【図２】
2013503507.tif 000004
【図３】
2013503507.tif 000005
【図４】
2013503507.tif 000006
【図５】
2013503507.tif 000007
【図６】
2013503507.tif 000008
【図７】
2013503507.tif 000009
【図８】
2013503507.tif 000010
【図９】
2013503507.tif 000011
【図１０】
2013503507.tif 000012
【図１１】
2013503507.tif 000013
【図１２】
2013503507.tif 000014
【国際調査報告】
2013503507.tif 000015
2013503507.tif 000016
2013503507.tif 000017
2013503507.tif 000018
2013503507.tif 000019